(57)【要約】【課題】腰掛式の便器本体の後部上面を覆うカバー体を上昇可能に設けた構成において、上昇した状態のカバー体と便器本体の後部上面との間のスペースから便器洗浄装置側に浸入した水が床面に滴り落ちることを防止する。【解決手段】腰掛式の便器本体２と、便器本体２の後側に設けられ便器本体２に洗浄水を供給するための便器洗浄装置３と、便器洗浄装置３を上側から覆うとともに便器本体２の後部上面（７ａ）を覆うケーシング２０とを備え、ケーシング２０が便器本体２の後部上面を露出すべく上昇可能に設けられた水洗大便器１であって、便器本体２と便器洗浄装置３との間に、便器本体２の上面７の後端縁から滴り落ちる水を受ける水受け部６０が設けられている。【選択図】図１１
2014095234.tif 000002
【特許請求の範囲】
【請求項１】
腰掛式の便器本体と、該便器本体の後側に設けられ前記便器本体に洗浄水を供給するための便器洗浄装置と、該便器洗浄装置を上側から覆うとともに前記便器本体の後部上面を覆うカバー体とを備え、前記カバー体が前記便器本体の後部上面を露出すべく上昇可能に設けられた水洗大便器であって、
前記便器本体と前記便器洗浄装置との間に、前記便器本体の上面の後端縁から滴り落ちる水を受ける水受け部が設けられている、
水洗大便器。
【請求項２】
前記カバー体の上昇動作に連動しないように設けられ、前記便器洗浄装置の少なくとも一部を覆うカバー部材を備え、
前記水受け部は、前記カバー部材の前端部に設けられている、
請求項１に記載の水洗大便器。
【請求項３】
前記便器本体は、該便器本体の後部上面を形成する部分として、後方に向けて庇状に突出した後方突出部を有し、
前記カバー部材は、前記水受け部を構成する部分として、前記便器洗浄装置を前側から覆う前壁部と、該前壁部の下端部にて前記前壁部と共に樋状の凹部を形成する樋形成部とを有し、前記凹部が前記後方突出部の下方に位置するように設けられている、
請求項２に記載の水洗大便器。
【請求項４】
前記カバー部材は、前記前壁部が前記後方突出部に対して後側から押し付けられることで弾性変形した状態で設けられている、
請求項３に記載の水洗大便器。
【発明の詳細な説明】
【技術分野】
【０００１】
本発明は、腰掛式の便器本体と、この便器本体の後側に設けられた便器洗浄装置とを備えた水洗大便器に関する。
【背景技術】
【０００２】
従来、腰掛式の便器本体と、この便器本体の後側に設けられ便器本体に洗浄水を供給するための便器洗浄装置とを備えた水洗大便器がある。このような水洗大便器においては、例えば便器本体においてボウル部の外周縁を形成するリム部の後部の上面といった、便器本体の後部上面が、便器洗浄装置を上側から覆うカバー体によって覆われた構成のものがある。このようなカバー体としては、例えば、水洗大便器の使用者の局部を洗浄する局部洗浄機能を有する局部洗浄装置において局部洗浄機能を発揮するための構成等を収納するケーシングが相当する。
【０００３】
このように便器本体の後部上面がカバー体により覆われた構成の水洗大便器においては、便器本体の掃除を行うに際して便器本体の後部上面を露出させてその上にスペースを確保するため、カバー体を上昇可能に設けた構成が知られている。かかる構成によれば、通常は便器本体の後部上面を覆った状態のカバー体を所定の操作によって上昇させることで、便器本体の後部上面とカバー本体との間に生じたスペースにより、便器本体の後部上面を水や洗剤等を用いて掃除することができる。
【０００４】
このように上昇可能なカバー体を備えた水洗大便器においては、カバー体を上昇させて便器本体の掃除を行う際、飛散した水が、上昇した状態のカバー体と便器本体の後部上面との間に生じたスペースから便器本体の後側の便器洗浄装置側へと浸入し、便器洗浄装置を構成する各種部品に付着するという問題がある。ここで、例えば、電気部品に水が付着した場合、便器洗浄装置においてショート等の電気的な不具合が生じる可能性がある。また、部品に水が付着することは、部品の劣化や腐食の原因となり得る。
【０００５】
そこで、カバー体が上昇した状態において、便器洗浄装置の構成部品が便器本体の後部上面とカバー体との間のスペースに対してむき出しの状態とならないように、便器洗浄装置の構成部品を隠蔽するカバー部材を備える構成のものがある（例えば、特許文献１参照。）。特許文献１には、便器本体の後部上面上に載置された状態で固定されるリアベースプレートと、このリアベースプレートに対して昇降可能に設けられ、カバー体を構成するフロントベースプレートと、このフロントベースプレートに設けられたカバー部材（隠蔽部材）とを備えた構成が開示されている。
【先行技術文献】
【特許文献】
【０００６】
【特許文献１】特許３７２１０５１号公報
【発明の概要】
【発明が解決しようとする課題】
【０００７】
確かに、特許文献１のように便器洗浄装置の構成部品を隠蔽するカバー部材を備える構成によれば、カバー体を上昇させて便器本体の掃除を行った際に飛散した水が便器洗浄装置の構成部品に付着することを防止することができる。しかしながら、上記のとおり便器本体とこの便器本体の後側に設けられた便器洗浄装置とを備える構成においては、上昇した状態のカバー体と便器本体の後部上面との間のスペースから便器洗浄装置側へと水が浸入することにより、便器本体と便器洗浄装置との間に存在する隙間において水が滴り落ちるといった問題がある。
【０００８】
具体的には、特許文献１の構成の場合、カバー部材が設けられるリアベースプレートが便器本体の上面に載置固定されただけであることから、便器本体の上面を掃除した際にリアベースプレートと便器本体の上面との間に水が浸み込み、その水が便器本体の上面の後端から便器洗浄装置との間の隙間において便器本体の壁面を伝って滴り落ちるといった現象が生じる。この点、便器本体は一般に陶器であることから、便器本体の製造時の誤差の大きさによってはリアベースプレートと便器本体の上面との間の隙間が大きくなる場合があり、かかる場合、上記のとおりリアベースプレートと便器本体の上面との間に浸み込む水の量が増え、便器本体の上面の後端から滴り落ちる水の量も多くなる。
【０００９】
このように便器本体の上面の後端から滴り落ちる水は床面を濡らすことになるが、水が滴り落ちる床面の位置が便器本体と便器洗浄装置との間の位置という使用者が気付き難い位置であることから、床面に落ちた水はその状態で放置されやすい。このため、便器本体の上面の後端から滴り落ちた水は、場合によっては床を腐らせたり臭いの原因となったりする。
【００１０】
本発明は、上記のような事情に鑑みてなされたものであり、腰掛式の便器本体の後部上面を覆うカバー体を上昇可能に設けた構成において、上昇した状態のカバー体と便器本体の後部上面との間のスペースから便器洗浄装置側に浸入した水が床面に滴り落ちることを防止することができる水洗大便器を提供することを目的とする。
【課題を解決するための手段】
【００１１】
本発明のうち第１の態様に係る水洗大便器は、腰掛式の便器本体と、該便器本体の後側に設けられ前記便器本体に洗浄水を供給するための便器洗浄装置と、該便器洗浄装置を上側から覆うとともに前記便器本体の後部上面を覆うカバー体とを備え、前記カバー体が前記便器本体の後部上面を露出すべく上昇可能に設けられた水洗大便器であって、前記便器本体と前記便器洗浄装置との間に、前記便器本体の上面の後端縁から滴り落ちる水を受ける水受け部が設けられているものである。このような構成の水洗大便器によれば、カバー体を上昇させて便器本体の上面を掃除した際に、便器本体と便器洗浄装置との間において便器本体の上面の後端縁から滴り落ちる水が水受け部によって受け止められることにより、上昇した状態のカバー体と便器本体の後部上面との間に生じたスペースから便器洗浄装置側に浸入した水が床面に滴り落ちることを防止することができる。
【００１２】
本発明のうち第２の態様に係る水洗大便器は、第１の態様に係る水洗大便器であって、前記カバー体の上昇動作に連動しないように設けられ、前記便器洗浄装置の少なくとも一部を覆うカバー部材を備え、前記水受け部は、前記カバー部材の前端部に設けられているものである。このような構成の水洗大便器によれば、水受け部を設けるために別途部品を用いる必要がなく、また、カバー部材を便器洗浄装置に組み付けることによって水受け部が自動的に設けられることになる。このため、水受け部を設けない場合の構成に対して部品点数や製造工程の工程数を増加させることなく、水受け部を設けることができる。また、このような構成の水洗大便器によれば、カバー部材がカバー体の上昇動作に連動しないように設けられることから、カバー部材の一部として設けられる水受け部がカバー体の上昇時に上昇しないという作用が得られる。これにより、水受け部の配置位置が、便器本体の上面の後端縁から滴り落ちる水を受け止める所定の配置位置からずれることがなく、上昇した状態のカバー体と便器本体の後部上面との間に生じたスペースから便器洗浄装置側に浸入した水が床面に滴り落ちることをより確実に防止することができる。
【００１３】
本発明のうち第３の態様に係る水洗大便器は、第２の態様に係る水洗大便器であって、前記便器本体は、該便器本体の後部上面を形成する部分として、後方に向けて庇状に突出した後方突出部を有し、前記カバー部材は、前記水受け部を構成する部分として、前記便器洗浄装置を前側から覆う前壁部と、該前壁部の下端部にて前記前壁部と共に樋状の凹部を形成する樋形成部とを有し、前記凹部が前記後方突出部の下方に位置するように設けられているものである。このような構成の水洗大便器によれば、便器本体の後側において庇状に突出する後方突出部に対して鉛直方向の下方に、水受け部の樋状の凹部が配置されることから、便器本体の上面の後端縁から滴り落ちる水を確実に樋状の凹部で受けることができる。このため、便器本体と便器洗浄装置との間において便器本体の上面の後端縁から滴り落ちる水が床面を濡らすことを確実に防止することができる。
【００１４】
本発明のうち第４の態様に係る水洗大便器は、第３の態様に係る水洗大便器であって、前記カバー部材は、前記前壁部が前記後方突出部に対して後側から押し付けられることで弾性変形した状態で設けられているものである。このような構成の水洗大便器によれば、カバー部材が本来有する弾性によって得られる力により、樋状の凹部を構成する前壁部を後方突出部に確実に当接させることができるので、便器本体の上面の後端縁から滴り落ちる水を後方突出部と前壁部との当接部分で受け、この当接部分を通過してさらに落ちる水を、樋状の凹部へと導くことができる。結果として、便器本体の上面の後端縁から滴り落ちる水が意図せぬ場所に落下することを防ぐことができ、確実に水受け部で水を受けることができる。
【発明の効果】
【００１５】
本発明によれば、腰掛式の便器本体の後部上面を覆うカバー体を上昇可能に設けた構成において、上昇した状態のカバー体と便器本体の後部上面との間のスペースから便器洗浄装置側に浸入した水が床面に滴り落ちることを防止することができる。
【図面の簡単な説明】
【００１６】
【図１】本発明の一実施形態に係る水洗大便器の構成を示す分解斜視図である。
【図２】本発明の一実施形態に係る水洗大便器を示す斜視図である。
【図３】本発明の一実施形態に係る水洗大便器の便蓋および便座を開いた状態を示す斜視図である。
【図４】本発明の一実施形態に係る水洗大便器の局部洗浄装置のケーシングを上昇させた状態を示す斜視図である。
【図５】本発明の一実施形態に係る水洗大便器の局部洗浄装置の構成を示す底面斜視図である。
【図６】本発明の一実施形態に係る水洗大便器の構成を示す分解斜視図である。
【図７】本発明の一実施形態に係る水洗大便器の便器本体を示す後部斜視図である。
【図８】本発明の一実施形態に係る水洗大便器の表面カバーを示す斜視図である。
【図９】本発明の一実施形態に係る水洗大便器の表面カバーを示す平面図である。
【図１０】本発明の一実施形態に係る水洗大便器の表面カバーを示す正面図である。
【図１１】本発明の一実施形態に係る水洗大便器の水受け部の構成を示す部分拡大斜視断面図である。
【図１２】本発明の一実施形態に係る水洗大便器の水受け部の構成を示す部分拡大斜視断面図である。
【図１３】本発明の一実施形態に係る水洗大便器の水受け部の構成を示す側面断面図である。
【発明を実施するための形態】
【００１７】
本発明は、便器本体の後側に設けられた便器洗浄装置を覆うとともに便器本体の後部上面を覆うカバー体が昇降可能に設けられた構成において、便器本体と便器洗浄装置との間に、便器本体の上面の後端縁から滴り落ちる水を受ける水受け部を設けることにより、便器本体と便器洗浄装置との間において水が床面に滴り落ちることを防止しようとするものである。以下、本発明の実施の形態を説明する。
【００１８】
本発明の実施形態に係る水洗大便器１の構成について、図１〜図７を用いて説明する。本実施形態に係る水洗大便器１は、腰掛式の便器本体２と、便器本体２の後側に設けられ便器本体２に洗浄水を供給するための便器洗浄装置３と、便器洗浄装置３上に設けられる局部洗浄装置４とを備える。なお、水洗大便器１においては、便器本体２に対して便器洗浄装置３が設けられる側を後側とし、その反対側を前側とし、便器本体２が設置される床面側を下側とし、その反対側を上側とし、前側から便器本体２に向かって左側を左側とし、同じく右側を右側とする（図１参照）。
【００１９】
便器本体２は、陶器製であり、上記のとおり腰掛式の便器であって、上側に開口するボウル部５を有する。ボウル部５は、便器本体２の前側の大部分を構成する。便器本体２においては、ボウル部５の外周縁を形成するリム部６により、上面７が形成される。
【００２０】
便器本体２の上面７は、全体的に略水平面に沿う面であって、前後方向を長手方向とする略楕円形状を有するとともに、後部の左右両側において後方に突出する部分を有する。便器本体２の上面７における後部の左右突出部分は、便器本体２のボウル部５を構成する左右両側の外壁部分のうち後側に延出された突出部分２ａによって形成される。便器本体２の後部、つまりボウル部５の後側の部分においては、便器本体２に対して便器洗浄装置３の各種構成を搭載するための形状部分や、便器本体２の床面への設置に際して便器本体２を床面に固定するための形状部分等の各種形状部分が設けられている（図７参照）。
【００２１】
便器洗浄装置３は、便器本体２へ洗浄水を供給するための構成である。本実施形態の水洗大便器１では、便器洗浄装置３は、便器本体２への洗浄水の供給に関し、タンクに貯溜した水をポンプ等によって圧送して供給するいわゆるタンク式の給水を行うための構成と、水道水からの水を直接的に供給するいわゆる直圧式の給水を行うための構成とを備える。具体的には次のとおりである。
【００２２】
便器洗浄装置３は、タンク式の給水を行うための構成として、内蔵タンク８、加圧ポンプ９、給水パイプ１０等を有する（図１、図６参照）。すなわち、便器洗浄装置３においては、タンク式の給水として、内蔵タンク８に貯溜された水を加圧ポンプ９によって給水パイプ１０を通して便器本体２に圧送することが行われる。このように内蔵タンク８から便器本体２に加圧供給される洗浄水は、便器本体２においてボウル部５の下側の部分に供給され、主に汚物の排出に用いられる。
【００２３】
本実施形態では、内蔵タンク８は、便器本体２の後側において、右外側の位置に設けられる。加圧ポンプ９は、内蔵タンク８の左側であって、便器洗浄装置３において左右方向の略中央部に配置される。加圧ポンプ９は、水を加圧するためのインペラ等の回転体と、この回転体を回転駆動させるモータとを有する。給水パイプ１０は、加圧ポンプ９の上側から、便器洗浄装置３の左右方向の中央位置に対して左寄りの位置において前側へ延設され、便器本体２に接続される。
【００２４】
便器洗浄装置３が有する内蔵タンク８には、水道水が供給されて貯溜される。その一方で、便器洗浄装置３は、上記のように水道水を直接的に便器本体２に供給する直圧式の給水を行う。このため、便器洗浄装置３は、水道水の供給を受けるバルブユニット１１を有し、このバルブユニット１１において、水道水の給水経路について、便器本体２への給水経路と内蔵タンク８への給水経路とを切り替える給水路切替弁を有する。このバルブユニット１１が有する給水路切替弁により、水道水が、便器本体２または内蔵タンク８に対して選択的に供給される。
【００２５】
したがって、バルブユニット１１が有する給水路切替弁の下流側においては、バルブユニット１１から便器本体２に水道水を導くための便器用給水パイプ１２と、バルブユニット１１から内蔵タンク８に水道水を導くためのタンク用給水パイプ１３とが設けられている。バルブユニット１１が有する給水路切替弁は、その切替動作について電気的に制御される。
【００２６】
本実施形態では、バルブユニット１１は、便器洗浄装置３における左右略中央部において、内蔵タンク８よりも上方の位置に設けられる。便器用給水パイプ１２は、バルブユニット１１から、給水パイプ１０の左外側の位置において前側へ延設され、便器本体２に接続される。タンク用給水パイプ１３は、バルブユニット１１から右側に延設されて下方の内蔵タンク８に接続される。
【００２７】
このような構成を有する便器洗浄装置３においては、直圧式の給水として、バルブユニット１１が有する給水路切替弁によって水道水の供給経路が便器本体２側への給水経路に切り替えられることにより、図示せぬ給水パイプからバルブユニット１１に供給される水道水をその給水圧力をもって便器用給水パイプ１２により便器本体２に供給することが行われる。このように水道から直接的に便器本体２に供給される洗浄水は、ボウル部５においてリム部６に沿うように設けられた吐水口５ａから吐水され、主にボウル面の洗浄に用いられる。なお、便器洗浄装置３に対する水道水の給水経路においては、バルブユニット１１が有する給水路切替弁の上流側に、給水路切替弁と共にバルブユニット１１を構成する定流量弁や電磁開閉弁等が設けられ、さらにバルブユニット１１の上流側には、止水栓やストレーナ等が設けられる。
【００２８】
また、便器洗浄装置３においては、バルブユニット１１から便器用給水パイプ１２へと続く給水路、およびバルブユニット１１からタンク用給水パイプ１３へと続く給水路に、バキュームブレーカ１４が設けられている。バキュームブレーカ１４は、バルブユニット１１の上側に配置されている。バキュームブレーカ１４により、バルブユニット１１から便器本体２および内蔵タンク８それぞれに対する給水路における逆流が防止される。また、バキュームブレーカ１４の大気開放部から溢れた洗浄水は、内蔵タンク８に接続された戻り管１５によって内蔵タンク８に流入する。
【００２９】
また、便器洗浄装置３においては、内蔵タンク８内に貯溜される水に関し、その貯水量を適量に保つため、内蔵タンク８内の水位を検出するフロートスイッチ１６が設けられている（図６参照）。フロートスイッチ１６としては、例えば、内蔵タンク８内における満水時の水位を検出する上端側スイッチと、内蔵タンク８内における水位低下時の水位を検出する下端側スイッチとが設けられる。フロートスイッチ１６は、例えばリードスイッチにより構成され、内蔵タンク８内においてあらかじめ設定された所定の水位位置に対する実際の水位の変動によってオン・オフ動作し、水位を検出する。フロートスイッチ１６は、上記のとおり便器本体２の後側の右外側の位置に設けられる内蔵タンク８において、前側の部分に設けられる。
【００３０】
フロートスイッチ１６の検出信号は、便器洗浄装置３が有するコントローラ（図示略）に送られる。このため、フロートスイッチ１６とコントローラとは、図示せぬ信号線により互いに接続される。コントローラは、フロートスイッチ１６からの検出信号に基づき、バルブユニット１１や加圧ポンプ９等の動作を制御し、便器本体２に対する給水動作等に応じて、内蔵タンク８内の水位を調整する。したがって、便器洗浄装置３のコントローラに対しては、フロートスイッチ１６のほか、バルブユニット１１を構成する各種弁や加圧ポンプ９等が所定の配線によって接続される。便器洗浄装置３のコントローラは、水洗大便器１の使用者等によるボタン操作等により、あるいは使用者の動作を検知することにより、バルブユニット１１を構成する各種弁を所定の順序で動作させ、上述したようなタンク式の給水および直圧式の給水を所定の順序で行う。
【００３１】
以上のように、本実施形態の水洗大便器１は、便器洗浄装置３において、便器本体２に対する洗浄水の供給方式としてタンク式の給水および直圧式の給水の両方を行うための構成を備えるが、便器洗浄装置としてはこのような構成のものに限定されない。便器本体２の後側に設けられる便器洗浄装置としては、便器本体２に対する洗浄水の供給方式として、本実施形態のようにタンク式および直圧式の両方を採用する構成のほか、タンク式および直圧式のいずれかのみを採用する構成が適宜採用される。
【００３２】
局部洗浄装置４は、水洗大便器１の使用者の局部を洗浄する局部洗浄機能を有する。局部洗浄装置４は、局部洗浄機能を発揮するための構成として、水洗大便器１の使用者の局部に対して水を噴射する洗浄ノズルや、この洗浄ノズルを進退動作させるためのモータや、洗浄ノズルに洗浄水を導くための配管等を有する。これらの洗浄ノズルやモータや配管等は、ケーシング２０に内蔵される。
【００３３】
局部洗浄装置４において、洗浄ノズルは、ケーシング２０に収納された状態から、使用時においてケーシング２０の前面側から突出するように設けられる。つまり、洗浄ノズルは、便器本体２のボウル部５上において後側から前後方向に進退するように、ケーシング２０に対して出没可能に設けられる。洗浄ノズルは、その先端部に設けられた吐水口から水を噴射し、水洗大便器１の便座に座った状態の使用者の局部を洗浄する。
【００３４】
また、局部洗浄装置４のケーシング２０の内部には、例えば、便器本体２のボウル部５内の空気を吸い込んでフィルタや触媒などを介して臭気成分を低減させる脱臭機能部や、水洗大便器１の便座に座った状態の使用者の局部などに向けて温風を吹き付ける温風乾燥機能部や、水洗大便器１が設置されるトイレ室内に温風を吹き出してトイレ室を暖める室内暖房機能部などが適宜内蔵される。
【００３５】
このように、本実施形態の水洗大便器１においては、局部洗浄装置４として局部洗浄機能を発揮するための構成等を収納するケーシング２０が、便器洗浄装置３を上側から覆うとともに便器本体２の後部上面を覆うカバー体に相当する。
【００３６】
具体的には、局部洗浄装置４のケーシング２０は、図５に示すように、底面視で略矩形状の外形を有し、前部において、便器本体２のボウル部５の開口形状に対応して湾曲した形状の凹部２０ａを有する。凹部２０ａは、ケーシング２０の前端部において左右略中央部に設けられる部分であって、上述したように略楕円形状であるボウル部５の開口を形成するリム部６の後端部の形状に沿って湾曲した凹面部である。この凹部２０ａにより、ケーシング２０は、その底面形状において前部に凹状部を有する。
【００３７】
また、ケーシング２０は、図３および図５に示すように、便器本体２の左右幅に対応して便器本体２と略同じ左右幅を規定する左右両側面２０ｂを有する。また、ケーシング２０の底面部２０ｃにおいては、局部洗浄装置４が便器本体２および便器洗浄装置３を含む構成に対して取り付けられた際に、便器洗浄装置３の構成部品との干渉を避けて便器洗浄装置３の構成部品のケーシング２０内へ一部入ることを許容する開口部２０ｄが、便器洗浄装置３の構成部品の形状や配置等に応じて設けられている。
【００３８】
このような構成の局部洗浄装置４が、便器本体２および便器洗浄装置３を含む構成に対して、便器本体２の後方上側に配置された状態で設けられる（図２参照）。これにより、局部洗浄装置４の外装部分を構成するケーシング２０は、便器本体２の後側に設けられた便器洗浄装置３を全面的に上側から覆うとともに、便器本体２の後部上面を上側から覆う。つまり、便器本体２の後部上面は、ケーシング２０の前端部分によって覆われる。本実施形態において、便器本体２の後部上面としては、便器本体２の上面７のうちの後側の部分、即ち略楕円形状に沿うリム部６の後端部分の上面７ａと、上述したように便器本体２が後部において有する左右両側の突出部分２ａの上面７ｂとが該当する。
【００３９】
また、本実施形態の水洗大便器１は、図３に示すように、便器本体２のリム部６上に置かれた状態で使用される便座２１と、便座２１の上側から便座２１および便器本体２ならびに局部洗浄装置４の大部分を覆う便蓋２２とを有する。便座２１および便蓋２２は、その一端部が左右方向を回動軸方向として回動可能に支持されることで、開閉自在に支持される。
【００４０】
このように局部洗浄装置４のケーシング２０上に便座２１および便蓋２２を有する水洗大便器１においては、図１に示すように、局部洗浄装置４と、局部洗浄装置４上に設けられた便座２１および便蓋２２とを含む一体的な構成が、便器本体２および便器洗浄装置３を含む構成に対して、上側から覆い被さった状態となるように組み付けられる。そして、便器本体２および便器洗浄装置３を含む構成に対して便座２１および便蓋２２が支持された局部洗浄装置４が組み付けられることで、上述したように便器本体２の後部上面と便器洗浄装置３とが局部洗浄装置４のケーシング２０によって覆われた状態となる（図２参照）。このようにケーシング２０によって便器本体２の後部上面と便器洗浄装置３とが覆われた状態は、図３に示すように便座２１および便蓋２２が開いた状態においても維持される。つまり、ケーシング２０によって便器本体２の後部上面と便器洗浄装置３とが覆われた状態は、便座２１および便蓋２２の開閉にかかわらず維持される。
【００４１】
また、本実施形態の水洗大便器１においては、便器本体２の後側に設けられた便器洗浄装置３は、側面側からカバーパネル２３によって覆われている（図３参照）。カバーパネル２３は、便器本体２の後部に設けられた突出部分２ａの後側に設けられ、便器洗浄装置３の各種構成、および上述したように便器本体２におけるボウル部５の後側の各種形状部分を側方から覆う。カバーパネル２３は、便器本体２の側面を形成する部分、局部洗浄装置４のケーシング２０、および閉じた状態の便蓋２２とともに、水洗大便器１の一体的な外形形状をなす。
【００４２】
以上のように便器本体２の後部上面がカバー体としての局部洗浄装置４のケーシング２０により覆われた構成の水洗大便器１においては、便器本体２の掃除を行うに際して便器本体２の後部上面を露出させてその上にスペースを確保するため、便器本体２の後部上面を覆う局部洗浄装置４のケーシング２０が便器本体２の後部上面を露出すべく上昇可能に設けられている。つまり、局部洗浄装置４のケーシング２０は、便器本体２および便器洗浄装置３を含む構成に対して、便座２１および便蓋２２と共に昇降可能に設けられている。
【００４３】
局部洗浄装置４のケーシング２０を昇降させるための構成について説明する。本実施形態の水洗大便器１においては、ケーシング２０は、手動操作によって動作する機械的な構造により昇降させられる。具体的には、本実施形態の水洗大便器１は、局部洗浄装置４のケーシング２０を昇降させるための構成として、昇降機構３０を備える。
【００４４】
図５に示すように、昇降機構３０は、使用者等によって操作される操作部としてのハンドル３１と、ハンドル３１の操作によって動作する支持部材３２と、ハンドル３１の動作を支持部材３２に伝達するための回動軸部３３とを有する。
【００４５】
ハンドル３１は、図３および図５に示すように、略矩形板状の外形を有する部材であり、便器本体２の右側の突出部分２ａの後側において、便器本体２とケーシング２０の下端縁とカバーパネル２３の上端縁との間に設けられた凹部３４に嵌り込んだ状態で設けられる。ハンドル３１は、その略矩形板状の外形における長手方向を前後方向とした向きで、凹部３４に嵌り込む。ハンドル３１は、ケーシング２０を昇降させるに際し、凹部３４から引っ張り出され、回動操作される（図４参照）。
【００４６】
支持部材３２は、ケーシング２０の底面部２０ｃの前側であって底面部２０ｃの左右略中央部の位置に設けられる。支持部材３２は、棒状ないしは柱状の部材であって、通常はケーシング２０の底面部２０ｃに沿って寝た状態（倒れた状態）にある。支持部材３２は、ケーシング２０を昇降させるに際し、回動することでケーシング２０の底面部２０ｃに対して起き上がるように動作し、底面部２０ｃに対して立った状態、つまり底面部２０ｃから下側に向けて突出した態様となる。このような支持部材３２の起立動作が、ハンドル３１の操作と連動して行われる。
【００４７】
支持部材３２は、ケーシング２０の底面部２０ｃに対して立った状態で、便器本体２のボウル部５の後側に設けられたガイドプレート３５により支持される。つまり、支持部材３２は、底面部２０ｃからの突出側の先端部をガイドプレート３５の上面に当接させた状態で、便器本体２に対してケーシング２０を支持する。
【００４８】
ガイドプレート３５は、全体として略板状の部材であり、便器本体２のボウル部５の後側において左右中央部に設けられる。つまり、ガイドプレート３５は、便器本体２がその後部において有する左右の突出部分２ａの間において、板面が略水平面に沿うようにかつ便器本体２の上面７と略同じ高さ位置となるように設けられる。
【００４９】
ガイドプレート３５は、便器本体２のボウル部５の後面部（リム部６の後端部）において後方に向けて突出する支持突部２ｂ上に載置された状態で支持突部２ｂに対して固定される（図７参照）。本実施形態では、ガイドプレート３５は、ガイドプレート３５および支持突部２ｂのそれぞれにおいて左右方向に所定の間隔を隔てて設けられた固定用の孔部が用いられ、ボルト等の締結具により、支持突部２ｂに固定される。なお、本実施形態では、ガイドプレート３５は便器本体２とは別体の部材であるが、ガイドプレート３５に相当する構成が陶器製の便器本体２の一部分として設けられてもよい。ガイドプレート３５は、後述するように、昇降するケーシング２０に対して位置決め部として作用する。
【００５０】
回動軸部３３は、ハンドル３１と支持部材３２とを互いに連結させ、ハンドル３１と支持部材３２とを連動させる。回動軸部３３は、軸状ないしは棒状の部分であって、ケーシング２０の底面部２０ｃの下側において左右方向に沿って配される。回動軸部３３の右側の部分は、ケーシング２０の右側の縁部まで延設され、回動軸部３３の右側の端部が、ハンドル３１の一端部に固定される。また、回動軸部３３の左側の部分は、ケーシング２０の左右中央位置よりも左側まで延設され、回動軸部３３の左側の部分の中途部に、支持部材３２が固定される。
【００５１】
回動軸部３３は、ケーシング２０の底面部２０ｃに設けられる支持ユニット３６により、軸方向（長手方向）を回動軸方向として回転可能に支持される。支持ユニット３６は、底面部２０ｃにおいて左右略中央部に設けられ、回動軸部３３の回動にともなう支持部材３２の動作を許容するとともに、回動軸部３３を部分的に覆った状態で回動軸部３３を底面部２０ｃに対して回動可能に支持する。また、回動軸部３３は、支持ユニット３６により、上述したように凹部３４に嵌り込んだ状態のハンドル３１を回動操作可能な位置まで引っ張り出すことができるように、軸方向（左右方向）について所定の範囲で移動可能に支持される。
【００５２】
このように回動可能かつ軸方向に移動可能に設けられる回動軸部３３により、ハンドル３１が凹部３４から引き出し可能かつ引き出された状態で回動可能に支持される。そして、回動軸部３３にハンドル３１および支持部材３２が固定されていることから、ハンドル３１が回動することにともなって回動軸部３３もハンドル３１と一体的に軸回動し、この回動軸部３３の回動とともに支持部材３２も回動軸部３３と一体的に回動する。
【００５３】
以上のような構成を備える昇降機構３０によって昇降させられるケーシング２０は、その後端部が便器洗浄装置３の後部に対して支持されることで、後端部の支持部分を中心として前側から上昇するように回動可能に設けられる。
【００５４】
具体的には、ケーシング２０は、底面部２０ｃの後部の左右両角部において下方に突出するように設けられた支持固定具３７（図５参照）が便器洗浄装置３の後部に設けられた支持孔部３８（図６参照）に固定されることで、便器洗浄装置３に対して前側から上昇するように回動可能に取り付けられる。このように回動可能に支持されるケーシング２０は、便器本体２の後部上面を覆った状態から、回動動作によって上昇することで、便器本体２の後部上面に対して前側から離間して前上がりの斜めの状態となり、便器本体２の後部上面を露出させてその上にスペースを生じさせる。
【００５５】
このように前側から上昇するように回動動作するケーシング２０に対しては、上述したように便器本体２のボウル部５の後側に設けられるガイドプレート３５が、位置決め部として作用する。
【００５６】
具体的には、ガイドプレート３５上には、上方に向けて突出する嵌合凸部３５ａが設けられている（図６参照）。本実施形態では、嵌合凸部３５ａは、左右方向に所定の間隔を隔てた２箇所に設けられている。この嵌合凸部３５ａに対して、ケーシング２０の底面部２０ｃには、嵌合凸部３５ａが嵌り込む嵌合凹部３６ａが設けられる。本実施形態では、嵌合凹部３６ａは、上述したように昇降機構３０の回動軸部３３を支持する支持ユニット３６において、嵌合凸部３５ａに対応する位置に設けられる。
【００５７】
このようにガイドプレート３５側に設けられた嵌合凸部３５ａとケーシング２０側に設けられた嵌合凹部３６ａとの嵌合作用により、後端部の支持部分を回動中心とするケーシング２０の回動動作がガイドされる。これにより、ケーシング２０が上昇した状態から元の状態に戻った際におけるケーシング２０の位置ずれが防止される。
【００５８】
また、上述したように昇降するケーシング２０の底面部２０ｃには、パッキン３９が設けられている（図５参照）。パッキン３９は、底面部２０ｃの前端縁の形状に沿う突条部分として設けられる。したがって、パッキン３９は、ケーシング２０の凹部２０ａの形状に沿う湾曲部と、この湾曲部の左右両側に設けられ底面部２０ｃの前側の辺部に沿う直線部とを有する。パッキン３９は、例えばゴム等の弾性を有する材料により形成されている。
【００５９】
パッキン３９は、ケーシング２０の前部によって覆われる便器本体２の後部上面に対応する位置に設けられる。つまり、ケーシング２０が便器本体２の後部上面を覆った通常の位置（上昇してない位置）にある状態においては、パッキン３９は、ケーシング２０の底面部２０ｃと便器本体２の後部上面との間に挟まれ、圧縮変形した状態となる。これにより、ケーシング２０が通常の位置にある状態において、パッキン３９によってケーシング２０と便器本体２との間の密閉性が得られ、便器本体２側から便器洗浄装置３側への水等の浸入が防止される。
【００６０】
以上のように局部洗浄装置４のケーシング２０が昇降可能に設けられた構成におけるケーシング２０の昇降操作について説明する。図３および図５（ａ）に、ケーシング２０が通常の位置にある状態を示す。また、図４および図５（ｂ）に、ケーシング２０が上昇した状態を示す。なお、以下の説明では、水洗大便器１において、ケーシング２０が通常の位置にある状態を「通常状態」とする。
【００６１】
図３および図５（ａ）に示すように、通常状態においては、ケーシング２０は、便器本体２の後部上面および便器洗浄装置３を上側から覆った状態にあり、ケーシング２０の底面部２０ｃに設けられたパッキン３９は底面部２０ｃと便器本体２の後部上面との間で圧縮変形した状態となる。また、通常状態においては、昇降機構３０を構成するハンドル３１は、水洗大便器１において右側の側面に設けられる凹部３４に嵌り込んだ状態にあり、同じく昇降機構３０を構成する支持部材３２は、ケーシング２０の底面部２０ｃに沿って倒れた状態にある。
【００６２】
このような通常状態から、ケーシング２０を上昇させるに際しては、まず、ハンドル３１が凹部３４から引き出される。つまり、ハンドル３１が、凹部３４に嵌り込んだ状態から、右方向に引き出される（図３、矢印Ａ１参照）。ハンドル３１が凹部３４から引き出されることにともない、回動軸部３３および支持部材３２もハンドル３１と一体的に右側に移動する。
【００６３】
凹部３４から引き出されたハンドル３１は、回動軸部３３の軸方向を回動軸方向として回動操作される。具体的には、引き出された状態で長手方向を前後方向とするハンドル３１が、右側面視で右回りに略９０°回動させられる（図４、矢印Ａ２参照）。これにより、ハンドル３１は、その長手方向が上下方向に沿った状態となる。
【００６４】
このようなハンドル３１の回動操作によってハンドル３１が回動することで、回動軸部３３および支持部材３２がハンドル３１と一体的に回動し、支持部材３２がケーシング２０の底面部２０ｃに対して立った状態となる。ここで、支持部材３２は、倒れた状態から立った状態となる過程において、先端部をガイドプレート３５の表面に当接させた状態で摺動する。こうした支持部材３２の回動にともなうガイドプレート３５に対する摺動については、良好な動作性（摺動性）が得られるように、支持部材３２およびガイドプレート３５の材料が樹脂等とされたり、支持部材３２の先端部の形状が曲面形状とされたりする。
【００６５】
このようなハンドル３１の回動にともなう支持部材３２の回動動作により、図４および図５（ｂ）に示すように、便器本体２の後部上面を覆った状態のケーシング２０がその後部を回動支点とする回動動作によって上昇する。つまり、ケーシング２０が、便器本体２の後部上面に対して前側から離間して前上がりの斜めの状態となる（図４、矢印Ａ３参照）。これにより、通常状態においてケーシング２０により覆われる便器本体２の後部上面が露出した状態となり、便器本体２の後部上面の上にスペースが生じる。
【００６６】
このように、本実施形態の水洗大便器１が備える昇降機構３０によれば、ハンドル３１の操作によって支持部材３２がその先端部をガイドプレート３５の上面に当接させた状態となることで、ケーシング２０が上昇した状態で支持される。つまり、ケーシング２０が上昇した状態においては、昇降機構３０の支持部材３２が支え棒として機能し、ケーシング２０がガイドプレート３５を介して便器本体２に対して支持された状態となる。
【００６７】
以上のように局部洗浄装置４のケーシング２０が上昇可能に設けられた構成によれば、通常は便器本体２の後部上面を覆った状態のケーシング２０をハンドル３１の操作によって上昇させることで、便器本体２の後部上面とケーシング２０との間に生じたスペースにより、便器本体２の後部上面を水や洗剤等を用いて掃除することができる。なお、上昇した状態のケーシング２０を元の状態に戻す際は、ハンドル３１を、ケーシング２０を上昇させる際とは反対方向に回動させ、凹部３４に押し込む操作が行われる。
【００６８】
以上のように、本実施形態の水洗大便器１は、手動操作される昇降機構３０によって局部洗浄装置４のケーシング２０が昇降する構成を有する。そして、ケーシング２０の上昇の態様は、ケーシング２０がその後部を回動支点とする回動動作によって前上がりの斜めの状態となるというものである。
【００６９】
なお、ケーシング２０を上昇させるための構成およびケーシング２０の上昇の態様は、ケーシング２０が便器本体２の後部上面を露出すべく上昇可能に設けられた構成であれば、特に本実施形態に限定されるものではない。したがって、ケーシング２０を上昇させるための構成としては、例えば、モータ等の駆動源によってケーシング２０を自動的に昇降させる構成であってもよい。また、ケーシング２０の上昇の態様としては、例えば、ケーシング２０が通常状態における姿勢を保ったまま、つまり水平状態を維持しながら上昇するというものであってもよい。
【００７０】
以上のような構成を備える本実施形態の水洗大便器１においては、ケーシング２０を上昇させて便器本体２の掃除を行う際、飛散した水が、上昇した状態のケーシング２０と便器本体２の後部上面との間に生じたスペース（以下「便器後部上スペース」という。）４０から便器本体２の後側の便器洗浄装置３側へと浸入するという現象が生じる。便器後部上スペース４０から浸入した水は、便器洗浄装置３を構成する各種部品に付着した場合、部品の劣化や腐食、あるいは電気部品についてはショート等の電気的な不具合の原因となり得る。
【００７１】
そこで、本実施形態の水洗大便器１は、便器洗浄装置３の一部を覆うカバー部材としての表面カバー５０を備える。つまり、図１および図６に示すように、水洗大便器１においては、便器洗浄装置３において便器後部上スペース４０から浸入した水がかかりやすい前側の部分に対して、当該部分を覆う表面カバー５０が設けられている。以下の説明では、便器洗浄装置３において表面カバー５０によって覆われる部分を「カバー被覆部分」という。
【００７２】
図８〜図１０に示すように、本実施形態に係る表面カバー５０は、基本的には便器洗浄装置３が有する各種構成部品の形状および配置に対応してカバー被覆部分の形状に倣った凹凸形状を有する。表面カバー５０は、主に、カバー被覆部分を上側から覆う板状の部分である上側カバー部と、カバー被覆部分を前側から覆う板状の部分である前側カバー部とを有する。表面カバー５０は、便器洗浄装置３に対して上側から装着されることで（図６、矢印Ｂ１参照）、カバー被覆部分を覆った状態となる（図１参照）。
【００７３】
表面カバー５０は、便器洗浄装置３の一部を覆った状態で、ケーシング２０の上昇動作に連動しないように設けられる。つまり、表面カバー５０は、ケーシング２０が上昇した際、ケーシング２０とともに上昇することなく便器洗浄装置３の一部を覆った状態を維持するように設けられる。本実施形態では、表面カバー５０は、便器洗浄装置３に対して固定され所定の位置に位置決めされた状態で設けられることで、ケーシング２０の上昇動作に連動しないように設けられる。表面カバー５０の固定には、例えば、接着テープ等が用いられる。また、表面カバー５０の位置決めには、表面カバー５０の弾性変形によるカバー被覆部分に対する係止作用や、表面カバー５０が有するカバー被覆部分の形状に倣った凹凸形状によるカバー被覆部分に対する嵌合作用等が用いられる。このように、表面カバー５０は、上述したようなケーシング２０の昇降動作に連動することなく、便器洗浄装置３の一部を覆うとともに便器洗浄装置３に対して固定された状態で設けられる。
【００７４】
表面カバー５０は、例えば樹脂やゴム等の比較的弾性変形しやすい材料により形成される。また、表面カバー５０の材料としては、表面カバー５０において透明性が得られる材料が用いられる。表面カバー５０は、例えば真空成形等の手法が用いられることで、一体の部材として形成される。表面カバー５０の材料としては、洗剤等に対する耐薬品性やコストの面から、例えばポリプロピレンが好適に用いられる。
【００７５】
表面カバー５０は、便器本体２と便器洗浄装置３との間において、便器本体２の後部に設けられたガイドプレート３５を、平面視で、ガイドプレート３５の前側以外、つまりガイドプレート３５の左右両側から後側にかけて囲むような位置および態様で設けられる（図１参照）。すなわち、表面カバー５０は、平面視において、便器本体２のリム部６の後端部とともにガイドプレート３５の周囲を囲むような態様で設けられる。したがって、表面カバー５０は、概略的には平面視で前側が凹んだ凹状の外形を有し、この凹状の平面視形状における凹み部分に、ガイドプレート３５を位置させる。
【００７６】
このような表面カバー５０は、概略的には、ガイドプレート３５の右側に位置する右カバー部５１と、ガイドプレート３５の左側に位置する左カバー部５２と、右カバー部５１と左カバー部５２とを繋ぐ部分であってガイドプレート３５の後側に位置する中間カバー部５３とを有する。これらの右カバー部５１、左カバー部５２、および中間カバー部５３は、各配置位置において便器洗浄装置３の構成部品を覆う。本実施形態の水洗大便器１において、各カバー部による被覆の態様は、具体的には次のとおりである。
【００７７】
右カバー部５１は、便器本体２の後側において右外側の位置に設けられる内蔵タンク８の前側の部分を覆う。右カバー部５１により覆われる部分には、例えば、上述したように内蔵タンク８において前側の部分に設けられるフロートスイッチ１６が位置する（図６参照）。また、左カバー部５２は、加圧ポンプ９の上側から便器洗浄装置３の左寄りの位置において前側へ延設されて便器本体２に接続される給水パイプ１０の前側の部分を覆う。また、中間カバー部５３は、内蔵タンク８の左側であって便器洗浄装置３における左右方向の略中央部に配置される加圧ポンプ９が位置する部分を覆う。また、表面カバー５０において右カバー部５１から中間カバー部５３にわたる部分の下方の位置には、フロートスイッチ１６からコントローラへの信号線が配されている。
【００７８】
このような態様で、右カバー部５１、左カバー部５２、および中間カバー部５３を有する表面カバー５０により、カバー被覆部分における各カバー部が対応する範囲が被覆される。なお、カバー被覆部分には、上述したように表面カバー５０の各カバー部により被覆される構成として例示した構成のほか、便器洗浄装置３を構成する配管や電気部品等の各種部品が含まれる。また、表面カバー５０においては、右カバー部５１および左カバー部５２の前端部分は、リム部６の後端部や左右両側の突出部分２ａ等が存在する便器本体２の後側の形状に沿うような形状を有する。
【００７９】
以上のように、本実施形態の水洗大便器１においては、便器洗浄装置３の一部を覆う表面カバー５０を備えることで、ケーシング２０の上昇時において便器本体２の掃除を行った際に飛散した水が便器後部上スペースから便器洗浄装置３の構成部品にかかることが防止される。したがって、便器後部上スペースから便器洗浄装置３側に浸入した水により、便器洗浄装置３の構成部品の劣化や腐食、あるいは電気部品についてのショート等の電気的な不具合が防止される。
【００８０】
なお、表面カバー５０の構成は、本実施形態で示した構成に限定されるものではなく、例えば次に示すような構成が適宜採用される。本実施形態の表面カバー５０は、便器洗浄装置３の前側の一部を覆う構成であるが、表面カバー５０としては、便器洗浄装置３を全体的に覆う構成のものであってもよい。つまり、表面カバー５０は、便器洗浄装置３の少なくとも一部を覆うものであればよい。
【００８１】
また、本実施形態の表面カバー５０は、一体の部材であるが、表面カバー５０としては、複数の部材に分割された構成のものであってもよい。ただし、表面カバー５０についての組立て作業性や部品管理等の観点からは、表面カバー５０は一体の部材である構成が好ましい。
【００８２】
また、本実施形態の表面カバー５０は、ポリプロピレン等を材料として透明性を有するが、表面カバー５０としては透明性を有しない部材であってもよい。ただし、表面カバー５０に透明性を持たせることにより、水洗大便器１の出荷時の便器洗浄装置３における漏水検査等の各種検査において、表面カバー５０により覆われた部分についての目視確認を容易に行うことができるといったメリットが得られる。また、表面カバー５０の材料としては、上記のとおり耐薬品性やコストの面からポリプロピレンが好ましいものの、その材料は特に限定されるものではない。
【００８３】
以上のように表面カバー５０を備える構成によれば、ケーシング２０の上昇時に便器後部上スペースから浸入した水が便器洗浄装置３の構成部品に付着することを防止することができるが、その一方で、便器後部上スペースから便器洗浄装置３側へと水が浸入することにより、便器本体２の上面７の後端縁から水が滴り落ちるといった問題がある。このように便器本体２の上面７の後端縁から滴り落ちる水は、仮に床面に落下した場合、その落下位置が便器本体２と便器洗浄装置３との間の位置という使用者が気付き難い位置であることから、床面に落下した状態で放置されやすく、場合によっては床を腐らせたり臭いの原因となったりする。
【００８４】
そこで、本実施形態の水洗大便器１においては、便器本体２と便器洗浄装置３との間に、便器本体２の上面７の後端縁から滴り落ちる水を受ける水受け部６０が設けられている。本実施形態では、水受け部６０は、一体成形品である表面カバー５０の一部として、表面カバー５０の前端部に設けられている。
【００８５】
図８〜図１３に示すように、水受け部６０は、便器本体２の上面７を形成する部分の後端の形状に沿うように設けられる樋状の構成である。水受け部６０は、便器本体２の上面７の後端縁の下方の位置であって床面よりも上方の位置に設けられ、便器後部上スペース４０から便器洗浄装置３側に浸入する水のうち主に便器本体２の上面７の後端縁から滴り落ちる水を、床面よりも上方の位置で受け止めて捕獲する。すなわち、水受け部６０は、便器本体２の上面７の後端縁から便器本体２の後側の壁面を伝って落ちる水が床面に達するまでの経路上における所定の位置に設けられ、便器本体２の上面７の後端縁から滴り落ちる水を床面に達する前にキャッチする。
【００８６】
水受け部６０は、表面カバー５０において前端の下端部に設けられる。また、水受け部６０は、表面カバー５０において、右カバー部５１および左カバー部５２それぞれの前端部に設けられる。すなわち、水受け部６０は、表面カバー５０において、リム部６の後端部や左右両側の突出部分２ａ等が存在する便器本体２の後側の形状に沿うような形状を有する右カバー部５１および左カバー部５２の前端部分に設けられる。
【００８７】
水受け部６０は、略水平方向に沿う底面部６１と、この底面部６１の端部から立設した状態で設けられる壁部６２とを有する。水受け部６０においては、底面部６１により水が受け止められ、その受け止められた水の落下が壁部６２により規制される。水受け部６０は、具体的には、本実施形態の場合、便器本体２の後側に設けられるガイドプレート３５の左右両側において、便器本体２のリム部６の後端部の形状に沿う部分（図９、符号６０ａ参照）と、かかる部分の左右外側に設けられ、便器本体２の左右の突出部分２ａの形状に沿う部分（同図、符号６０ｂ参照）とを有する。
【００８８】
以上のように便器本体２と便器洗浄装置３との間に水受け部６０を備える本実施形態の水洗大便器１によれば、腰掛式の便器本体２の後部上面を覆うケーシング２０を上昇可能に設けた構成において、便器後部上スペース４０から便器洗浄装置３側に浸入した水が床面に滴り落ちることを防止することができる。すなわち、ケーシング２０を上昇させて便器本体２の上面７を掃除した際に、便器本体２と便器洗浄装置３との間において便器本体２の上面７の後端縁から滴り落ちる水が水受け部６０によって受け止められることにより、便器本体２と便器洗浄装置３との間において床面を濡らすことを防止することができる。これにより、使用者が気付き難い位置である便器本体２と便器洗浄装置３との間の床面を濡らす水によって床面が腐食したり臭いが生じたりするといった不具合を防止することができる。
【００８９】
また、本実施形態の水洗大便器１のように、水受け部６０が表面カバー５０の一部として設けられる構成によれば、水受け部６０を設けるために別途部品を用いる必要がなく、また、表面カバー５０を便器洗浄装置３に組み付けることによって水受け部６０が自動的に設けられることになる。このため、本実施形態の水洗大便器１によれば、水受け部６０を設けない場合の構成に対して部品点数や製造工程の工程数を増加させることなく、水受け部６０を設けることができる。
【００９０】
また、本実施形態の水洗大便器１においては、上述したように表面カバー５０がケーシング２０の昇降動作にかかわらず便器洗浄装置３に対して固定された状態で設けられる構成であることから、ケーシング２０が上昇させられることによっても、表面カバー５０の一部として設けられる水受け部６０を所定の配置位置に保持することができる。つまり、表面カバー５０がケーシング２０の上昇動作に連動しないように設けられることから、表面カバー５０の一部として設けられる水受け部６０がケーシング２０の上昇時に上昇しないという作用が得られる。これにより、水受け部６０の配置位置が、便器本体２の上面７の後端縁から滴り落ちる水を受け止める所定の配置位置からずれることがなく、便器後部上スペース４０から便器洗浄装置３側に浸入した水が床面に滴り落ちることをより確実に防止することができる。
【００９１】
なお、水受け部６０は、本実施形態のように表面カバー５０の一部としてではなく、他の部品の一部として設けられたり、水受け部６０専用の部品によって構成されたりしてもよい。
【００９２】
以下では、本実施形態の水洗大便器１が備える水受け部６０の詳細な構造について、図８〜図１３を用いて説明する。なお、図１１は、図６におけるＡ−Ａ位置の一部拡大矢視断面図であり、図１２は、図６におけるＢ−Ｂ位置の一部拡大矢視断面図である。
【００９３】
本実施形態の水受け部６０は、便器本体２の後部における所定の部分の形状との関係により規定される形状部分を有する。具体的には、便器本体２は、便器本体２の後部において水受け部６０の形状を規定する所定の部分として、後方に向けて庇状に突出した後方突出部７０を有する（図７参照）。
【００９４】
後方突出部７０は、便器本体２の後部上面を形成する部分である。本実施形態では、便器本体２は、後方突出部７０として、略楕円形状に沿うリム部６の後端部分の上面７ａを形成する中央後方突出部７１と、中央後方突出部７１の左右両側に設けられ、便器本体２の後部の左右両側の突出部分２ａの上面７ｂを形成する左右後方突出部７２とを有する。
【００９５】
中央後方突出部７１は、リム部６の後端部分の形状に沿って平面視で略円弧形状に沿う態様で庇状に突出した形状を有する。左右後方突出部７２は、それぞれ突出部分２ａの形状に沿って平面視で後側にかけて左右方向の外側に向かう態様で庇状に突出した形状を有する。なお、上述したように便器本体２においてガイドプレート３５が固定される支持突部２ｂは、後方突出部７０としての中央後方突出部７１の後端面から後方に向けて突出するように設けられる（図７参照）。
【００９６】
このように便器本体２がその後部において有する後方突出部７０は、便器本体２の後側の上端部において、便器本体２の上面７の後端部分を形成するとともに庇状に突出した部分であり、便器本体２における後方突出部７０直下の壁面（壁面２ｃ）に対して段差を形成する部分である。したがって、後方突出部７０は、便器本体２の上面７の後端部分と、上面７の後端（外周端）から下方に連続する面であって後方突出部７０の突出側の端面となる後端面７３と、後端面７３の下端から前側に連続する下面７４とを有する。後方突出部７０の後端面７３は、下側が後側（図１３において右側）に向かう傾斜を有する。また、後方突出部７０の下面７４は、便器本体２の後側の壁面のうち後方突出部７０の下側の部分の壁面２ｃと後端面７３との間に段差を形成する面であって、略水平面として形成される面である。
【００９７】
ここで、後方突出部７０の上面となる便器本体２の上面７の後端部分は、中央後方突出部７１の場合はリム部６の後端部分の上面７ａであり、左右後方突出部７２の場合は突出部分２ａの上面７ｂである。また、後方突出部７０の下面７４については、中央後方突出部７１においてはリム部６の後端部分の上面７ａの反対側を向く面となり、左右後方突出部７２については突出部分２ａの上面７ｂの反対側を向く面となる。
【００９８】
このように、便器本体２は、便器本体２の後部上面を形成する部分として、後方に向けて庇状に突出した後方突出部７０（中央後方突出部７１および左右後方突出部７２）を有する。そして、この便器本体２が有する後方突出部７０の形状に対応して、水受け部６０が設けられる。
【００９９】
具体的には、図１１〜図１３に示すように、水受け部６０は、後方突出部７０の直下に位置するように設けられる。つまり、水受け部６０は、水洗大便器１を鉛直上方から見た場合に後方突出部７０に隠れる位置に設けられる。したがって、水受け部６０は、その底面部６１を、後方突出部７０の下面７４に対向させた状態となる。また、水受け部６０においては、底面部６１に対して、庇状の後方突出部７０の下方において奥側（壁面２ｃ側、図１３において左側）の縁部、および手前側（表面カバー５０の本体側、図１３において右側）の縁部に、壁部６２が設けられる。
【０１００】
本実施形態のように表面カバー５０の一部として表面カバー５０の前端部において水受け部６０が設けられる構成において、表面カバー５０は、水受け部６０を構成する部分として、便器洗浄装置３を前側から覆う前壁部５４と、この前壁部５４の下端部にて前壁部５４と共に樋状の凹部６５を形成する樋形成部５５とを有する。そして、表面カバー５０は、樋状の凹部６５が後方突出部７０の下方に位置するように設けられている。
【０１０１】
前壁部５４は、上記のとおり表面カバー５０においてカバー被覆部分を前側から覆う前側カバー部のうち、水受け部６０が設けられる右カバー部５１および左カバー部５２が有する前側カバー部を構成する部分である。したがって、本実施形態の表面カバー５０においては、前壁部５４として、便器本体２の中央後方突出部７１の形状に沿う部分と、左右後方突出部７２の形状に沿う部分とが存在する。
【０１０２】
詳細には、図８〜図１０に示すように、右カバー部５１における前壁部５４（５４Ａ）は、中央後方突出部７１の形状に沿って左前側を向く壁部分と、左右後方突出部７２に沿って右前側を向く壁部分とを有する。また、左カバー部５２における前壁部５４（５４Ｂ）は、中央後方突出部７１の形状に沿って右前側を向く壁部分と、左右後方突出部７２に沿って左前側を向く壁部分とを有する。このように、前壁部５４について、便器洗浄装置３を前側から覆うことは、右前側や左前側を向く壁面によって便器洗浄装置３を覆うことを含む。また、前壁部５４は、下側が前側（表面カバー５０において外周側、図１３において左側）に向かう傾斜を有する。つまり、前壁部５４の前面５４ａは、下側が前側に向かう斜面として形成される。
【０１０３】
樋形成部５５は、略水平面に沿うように形成される底板部５５ａと、底板部５５ａの奥側（図１３において左側）の縁部に沿って設けられる縁壁部５５ｂとを有する。樋形成部５５は、底板部５５ａおよび縁壁部５５ｂによって断面視で略Ｌ字状をなす部分であり、前壁部５４と共に、断面視で略鉤状となる樋状の凹部６５を形成する。つまり、樋形成部５５の縁壁部５５ｂは、その内壁面５５ｃを、前壁部５４の前面５４ａに対向させ、前壁部５４と、前壁部５４の下端から前側に延設される底板部５５ａとともに、樋状の凹部６５を形成する。
【０１０４】
このように前壁部５４と樋形成部５５とによって形成される樋状の凹部６５においては、樋形成部５５の底板部５５ａが、水受け部６０の底面部６１を形成する部分となり、樋形成部５５の縁壁部５５ｂが、底面部６１に対して奥側（図１３において左側）に設けられる壁部６２を形成する部分となる。また、前壁部５４が、底面部６１に対して手前側（図１３において右側）に設けられる壁部６２を形成する部分となる。水受け部６０において奥側の壁部６２をなす縁壁部５５ｂは、手前側の壁部６２をなす前壁部５４に対して高さが低い壁部である。
【０１０５】
このように前壁部５４と樋形成部５５とによって形成される樋状の凹部６５を有する表面カバー５０は、前壁部５４を後方突出部７０の後端面７３に対向させるとともに、樋状の凹部６５の部分を後方突出部７０の下側に潜り込ませた状態で設けられる。これにより、水受け部６０を構成する樋状の凹部６５の部分が、後方突出部７０の鉛直方向の下方に位置することになる。詳しくは、本実施形態では、樋状の凹部６５は、後方突出部７０により形成される便器本体２の上面７の後端縁の下方に位置する（図１３参照）。
【０１０６】
以上のような表面カバー５０および水受け部６０の構成によれば、便器本体２の後側において庇状に突出する後方突出部７０に対して鉛直方向の下方に、水受け部６０の樋状の凹部６５が配置されることから、便器本体２の上面７の後端縁から滴り落ちる水を確実に樋状の凹部６５で受けることができる。このため、便器本体２と便器洗浄装置３との間において便器本体２の上面７の後端縁から滴り落ちる水が床面を濡らすことを確実に防止することができる。
【０１０７】
また、表面カバー５０の一部として水受け部６０を設ける構成を採用する本実施形態の水洗大便器１は、表面カバー５０の装着状態に関し、便器本体２の後方突出部７０との関係において表面カバー５０の弾性を利用した次のような構成を備える。すなわち、表面カバー５０は、凹部６５を構成する前壁部５４が便器本体２の後方突出部７０に対して後側から押し付けられることで弾性変形した状態で設けられている。かかる構成について、図１３を用いて具体的に説明する。
【０１０８】
上述したように樋状の凹部６５を便器本体２の後方突出部７０の下方に潜り込ませる態様で設けられる表面カバー５０において、樋状の凹部６５の一部を構成する前壁部５４は、下側が前側（図１３において左側）に向かう傾斜を有する。このように傾斜した前壁部５４が、その前面５４ａに後方突出部７０の下端部を当接させた状態で、後方突出部７０に押し付けられる。言い換えると、後方突出部７０は、その下端部において、傾斜面である前面５４ａを有する前壁部５４の接触を受ける。ここで、前壁部５４が接触する後方突出部７０の下端部は、後方突出部７０において後端面７３と下面７４との間に形成される稜線部分である。
【０１０９】
本実施形態では、前壁部５４の前面５４ａに対向する後方突出部７０の後端面７３も、前面５４ａの傾斜に応じるように、下側が後側（図１３において右側）に向かう傾斜を有する。したがって、後方突出部７０の下端部に前壁部５４が接触した状態においては、後方突出部７０の後端面７３と前壁部５４の前面５４ａとは、下側にかけて徐々に互いの間の距離を縮め、断面視で略Ｖ字状をなした状態で互いに接触する。
【０１１０】
以上のような態様で表面カバー５０の前壁部５４が後方突出部７０に対して後側から押し付けられた状態が、表面カバー５０の弾性を利用することで得られる。すなわち、前壁部５４を後方突出部７０の下端部に当接させた状態の表面カバー５０は、その自然状態での形態に対して、前壁部５４の部分が後側（表面カバー５０において内側、図１３において右側）に押し込まれるように弾性変形した状態（撓んだ状態）となっている。このように弾性変形した状態の表面カバー５０において生じる弾性による復元力により、前壁部５４が後方突出部７０に押し付けられる。
【０１１１】
したがって、表面カバー５０は、その前壁部５４が後方突出部７０に押し付けられることによる弾性変形が解放された自然状態では、例えば図１３において２点鎖線で示すように、前壁部５４の部分を後方突出部７０に接触する位置よりも前側に位置させることになる。このように、表面カバー５０は、その弾性により、自然状態の形態に対して、前側から後方突出部７０に押されることで前壁部５４の部分を屈曲ないしは湾曲させた形態に変形し、便器本体２の後方突出部７０に対して後側から押し付けられた状態で設けられる。
【０１１２】
以上のように表面カバー５０の弾性によって樋状の凹部６５の一部を構成する前壁部５４の部分を後方突出部７０に押し付ける構成によれば、表面カバー５０が本来有する弾性によって得られる力により、樋状の凹部６５を構成する前壁部５４を後方突出部７０に確実に当接させることができる。また、表面カバー５０の弾性変形をともなって前壁部５４を後方突出部７０に対して押し付けた状態で当接させることで、陶器製の便器本体２の一部である後方突出部７０について製造時の形状誤差に起因して生じる後方突出部７０と前壁部５４との間の隙間を減殺することができる。
【０１１３】
このように前壁部５４を後方突出部７０に確実に当接させることができることにより、便器本体２の上面７の後端縁から滴り落ちる水を後方突出部７０と前壁部５４との当接部分で受け、この当接部分を通過してさらに落ちる水を、樋状の凹部６５へと導くことができる。結果として、便器本体２の上面７の後端縁から滴り落ちる水が意図せぬ場所に落下することを防ぐことができ、確実に水受け部６０で水を受けることができる。なお、前壁部５４に対する後方突出部７０の当接部分は、全体的に密着した状態ではなく、後方突出部７０および前壁部５４が有する形状誤差により生じる互いの間の隙間等により水が通過することを許容する。
【０１１４】
また、図８〜図１０に示すように、本実施形態の表面カバー５０は、左右両側の端部に、排水溝５７を有する。排水溝５７は、表面カバー５０の左右両端部において、樋状の凹部６５を左右方向の外側に向けて延設させて開口させる部分であり、左右方向外側に樋状に突出する部分である。表面カバー５０の右側の端部に設けられる排水溝５７は、右カバー部５１の前端部に設けられた樋状の凹部６５の右側の端部から、右方向に向けて突出するように設けられる。また、表面カバー５０の左側の端部に設けられる排水溝５７は、左カバー部５２の前端部に設けられた樋状の凹部６５の左側の端部から、左方向に向けて突出するように設けられる。
【０１１５】
排水溝５７は、樋状の凹部６５を構成する底板部５５ａに連続する底板部５７ａと、樋状の凹部６５を構成する縁壁部５５ｂに連続する前側壁部５７ｂと、前側壁部５７ｂの後側において前側壁部５７ｂに略平行に対向するように設けられる後側壁部５７ｃとを有し、その突出側の端部が開口された形状を有する。また、排水溝５７を構成する前側壁部５７ｂと後側壁部５７ｃとは、互いに略同じ高さを有する。したがって、排水溝５７は、側面視で略Ｕ字状となる樋状の形状を有する。
【０１１６】
このように表面カバー５０の左右両側の端部に設けられる排水溝５７は、表面カバー５０が便器洗浄装置３に装着された状態において、便器本体２の後側と便器洗浄装置３との間のスペースに位置する。また、排水溝５７は、その先端が便器本体２の左右両側の端部近傍に達する程度の長さを有する。
【０１１７】
具体的には、本実施形態では、排水溝５７は、便器洗浄装置３の側面を覆うカバーパネル２３の内側において、便器本体２の左右両側の突出部分２ａの後側に位置する。例えば、右側の排水溝５７は、便器本体２の右側の突出部分２ａと便器洗浄装置３の内蔵タンク８との間に位置し、先端部を右側方に臨ませる（図６参照）。
【０１１８】
以上のように表面カバー５０が排水溝５７を有する構成によれば、水受け部６０により捕獲する水に関し、その水量によっては排水溝５７から水を排出することが可能となる。水受け部６０においては、捕獲した水の量が比較的少ない状態では、捕獲した水はその捕獲された場所に留まり、そのまま放置されることによって蒸発する。これに対し、水受け部６０により捕獲される水の量が比較的多い場合、捕獲した水は樋状の凹部６５に溜まり、樋状の凹部６５から溢れる水は排水溝５７から排出される。
【０１１９】
このように、排水溝５７を有する表面カバー５０によれば、便器本体２と便器洗浄装置３との間の部分については、水受け部６０によって便器本体２の上面７の後端縁から滴り落ちる水を捕獲して床面を濡らすことを防止することができるとともに、便器後部上スペース４０から大量の水が浸入した場合等においては、排水溝５７から水を排水することができる。排水溝５７から排出される水は、水洗大便器１において左右両外側部分に落ちることになるので、排水溝５７から排出される水によって濡れる床面の位置は、使用者等が気付きやすい位置となる。
【０１２０】
したがって、排水溝５７から排水される水により、便器後部上スペース４０から便器洗浄装置３側に水が浸入し、その水の量がある程度まとまった量であることを使用者等に報知させることができる。また、樋状の凹部６５にある程度の量の水が溜まると、排水溝５７から排水されることになるので、樋状の凹部６５に水が溜まった状態を回避することができる。ここで、排水溝５７から排水される水は、使用者等が気付きやすい位置に落ちるため、使用者等によってすぐに拭き取られ、床面に落ちた状態で放置され難い。
【０１２１】
また、水受け部６０により捕獲した水を水洗大便器１の左右両外側に導く観点からは、水受け部６０の底面部６１、つまり樋状の凹部６５の底板部５５ａは、表面カバー５０の左右両外側に向けて下るように傾斜させてもよい。本実施形態においてこのような構成を採用した場合、右カバー部５１に設けられる樋状の凹部６５の底板部５５ａは、右側にかけて下るような斜面部として形成され、左カバー部５２に設けられる樋状の凹部６５の底板部５５ａは、左側にかけて下るような斜面部として形成される。
【０１２２】
このように水受け部６０の底面部６１が傾斜した構成は、例えば、樋状の凹部６５の底板部５５ａが縁壁部５５ｂとともに表面カバー５０の左右両外側に向けて下るように傾斜した部分として設けられることにより実現される。この場合、表面カバー５０は、図１０に示すような正面視において、右カバー部５１が有する樋状の凹部６５と、左カバー部５２が有する樋状の凹部６５とが略ハ字状をなす態様となる。
【０１２３】
このように水受け部６０の底面部６１が左右方向に傾斜した構成を採用することにより、水受け部６０によって捕獲される、便器本体２の上面７の後端縁から滴り落ちる水が樋状の凹部６５から溢れる場合、その溢れる位置を優先的に便器本体２の左右外側の位置にさせることができる。特に、本実施形態のように表面カバー５０が左右両端部に排水溝５７を有する構成においては、底面部６１を傾斜させることで、排水溝５７からの排水を促すことができる。これにより、便器後部上スペース４０から便器洗浄装置３側に水が浸入しておりその水の量がある程度まとまった量であることを使用者等に確実に報知させることができる。また、樋状の凹部６５に水が溜まった状態を確実に回避することができる。
【０１２４】
以上のように水受け部６０を備える本実施形態の水洗大便器１においては、便器後部上スペース４０から便器洗浄装置３側に浸入した水は、例えば次のような経路をたどり、水受け部６０により捕獲される。
【０１２５】
便器後部上スペース４０から便器洗浄装置３側に浸入した水は、便器本体２の後部上面、つまり便器本体２の後方突出部７０（中央後方突出部７１、左右後方突出部７２）の上面７ａ、７ｂから、後方突出部７０の後端面７３を伝って落ちる（図１１、矢印Ｃ１、図１３、矢印Ｃ２参照）。後方突出部７０の後端面７３を伝って落ちる水は、後方突出部７０の下端部、つまり後端面７３と下面７４との間の稜線部分を経て、表面カバー５０の前壁部５４により受けられる。ここで、後方突出部７０の下端部は前壁部５４に当接していることから、後方突出部７０の下端部に達した水は、後方突出部７０の下端部の前壁部５４に対する当接部分を介して確実に前壁部５４によって受けられる。前壁部５４により受けられた水は、前壁部５４の前面５４ａを伝って、樋状の凹部６５に導かれる。このようにして、便器本体２の上面７の後端縁から滴り落ちる水が水受け部６０によって捕獲される。そして、樋状の凹部６５に入った水は、その水量がある程度多い場合等、表面カバー５０の左右両側に設けられた排水溝５７から排出されることになる。
【０１２６】
以上のように、本実施形態の水洗大便器１によれば、便器本体２の上面７の後端縁から滴り落ちる水を水受け部６０によって捕獲することができ、便器本体２と便器洗浄装置３との間において床面に水が落ちることを防止することができる。
【０１２７】
そして、水受け部６０を、便器洗浄装置３の一部を覆う表面カバー５０に設けた構成を採用することにより、便器後部上スペース４０から便器洗浄装置３側に浸入する水が便器洗浄装置３の構成部品にかかることを防止することができるとともに、その水が便器本体２と便器洗浄装置３との間において床面に滴り落ちることを防止することができる。また、部品点数や製造工程の工程数を増加させることなく、水受け部６０を設けることができる。
【０１２８】
また、水受け部６０が設けられた表面カバー５０に関し、前壁部５４と樋形成部５５とにより構成される樋状の凹部６５が便器本体２の後方突出部７０の下方に位置するように表面カバー５０を設けることにより、便器本体２の上面７の後端縁から滴り落ちる水を確実に樋状の凹部６５で受けることができ、水が床面を濡らすことを確実に防止することができる。
【０１２９】
さらに、水受け部６０が設けられた表面カバー５０に関し、表面カバー５０の弾性を利用して前壁部５４を便器本体２の後方突出部７０に押し付ける構成を採用することにより、便器本体２の上面７の後端縁から滴り落ちる水を後方突出部７０と前壁部５４との当接部分で受け、確実に水受け部６０に導くことができる。
【０１３０】
以上説明した本実施形態の水洗大便器１は、便器洗浄装置３を上側から覆うとともに便器本体２の後部上面を覆うカバー体として、局部洗浄装置４において局部洗浄機能を発揮するための構成等を収納するケーシング２０を備えるものであるが、本発明に係る水洗大便器は、局部洗浄装置を備えたものに限定されない。すなわち、本発明に係るカバー体は、腰掛式の便器本体の後側に設けられた便器洗浄装置を上側から覆うとともに便器本体の後部上面を覆うものであって、便器本体の後部上面を露出すべく上昇可能に設けられた構成であればよく、例えば、所定の構成を収納するケーシングの類以外の構造体等も含む概念である。
【符号の説明】
【０１３１】
１    水洗大便器
２    便器本体
３    便器洗浄装置
４    局部洗浄装置
７    上面
２０  ケーシング（カバー体）
５０  表面カバー（カバー部材）
５４  前壁部
５５  樋形成部
６０  水受け部
６５  樋状の凹部
７０  後方突出部
７１  中央後方突出部
７２  左右後方突出部
【図１】
2014095234.tif 000003
【図２】
2014095234.tif 000004
【図３】
2014095234.tif 000005
【図４】
2014095234.tif 000006
【図５】
2014095234.tif 000007
【図６】
2014095234.tif 000008
【図７】
2014095234.tif 000009
【図８】
2014095234.tif 000010
【図９】
2014095234.tif 000011
【図１０】
2014095234.tif 000012
【図１１】
2014095234.tif 000013
【図１２】
2014095234.tif 000014
【図１３】
2014095234.tif 000015